(57)【要約】【課題】  光源検出センサーの出力の信頼性が低いと判定されたときに、光源検出による補正を行うか否かを切り替える、もしくは信頼性に応じて補正量を調整することによって、より良好なピント補正を行う。【解決手段】  焦点調節手段による撮影レンズの合焦動作を補正する補正手段を有し、第１の測光手段の出力と第２の測光手段の出力の大きさを比較し、前記第1の測光手段の出力よりも前記第２の測光手段の出力の方が大きい場合には、前記補正手段による前記合焦動作の補正を行わないように制御する焦点調節装置を提供する。【選択図】  図４
2008170517.tif 000002
【特許請求の範囲】
【請求項１】
撮影レンズの合焦状態に応じて前記撮影レンズを移動させて合焦動作を行う焦点調節手段と、
前記撮影レンズを透過した光束の第１の波長領域を測光する第１の測光手段と、
前記第１の波長領域に含まれ前記第１の波長領域よりも狭い第２の波長領域を測光する第２の測光手段と、
前記第１の測光手段と前記第２の測光手段の出力に応じて、前記焦点調節手段による前記合焦動作を補正する補正手段と、
前記第１の測光手段の出力と前記第２の測光手段の出力の大きさを比較し、前記第１の測光手段の出力よりも前記第２の即効手段の出力の方が大きい場合には、前記補正手段による前記合焦動作の補正を行わないように制御する制御手段とを備えたことを特徴とする焦点調節装置。
【請求項２】
前記制御手段は、前記第１の測光手段の出力と前記第２の測光手段の出力のいずれか一方予め決められた値よりも低い場合には、前記補正手段による前記合焦動作の補正を抑制するように制御することを特徴とする請求項１に記載の焦点調節装置。
【請求項３】
請求項１又は請求項２に記載の焦点調節装置の出力に基づいて焦点調節された状態での入射光を受光する撮像手段を備えた撮像装置。
【請求項４】
撮影レンズの合焦状態に応じて前記撮影レンズのデフォーカス量を検出し、
前記撮影レンズを透過した光束の第１の波長領域を測光する第１の測光手段と、前記第１の波長領域に含まれ前記第１の波長領域よりも狭い第２の波長領域を測光する第２の測光手段のそれぞれの出力に応じて、前記デフォーカス量に基づく前記撮影レンズの合焦動作を補正する焦点調節装置の制御方法であって、
前記第１の測光手段の出力と前記第２の測光手段の出力の大きさを比較し、前記第１の測光手段の出力よりも前記第２の測光手段の出力の方が大きい場合には、前記補正手段による前記合焦動作の補正を行わないように制御することを特徴とする焦点調節装置の制御方法。
【発明の詳細な説明】
【技術分野】
【０００１】
本発明は、各種光源条件下でのピント精度の改善に関するものである。
【背景技術】
【０００２】
早い合焦動作を重視する一眼レフカメラ等の撮像装置では、２像のずれから直接にデフォーカス量が検知できる位相差検出方式が広く採用されている。しかしながら、撮影する際の光源がその時々で異なることで、以下の問題が生じる。
【０００３】
図７は従来からある撮像装置における各種光源の分光分布と、レンズの色収差による相対的なピント位置を示したグラフであり、横軸が波長、縦軸は相対エネルギー、もしくは相対的なピント位置を示す。
【０００４】
同図より、蛍光灯の波長成分としては、６２０ｎｍより長波長成分はほとんど含まれていないのに対し、フラッドランプは長波長側になるほど、相対感度が強くなることがわかる。
【０００５】
一方レンズの色収差は、同図に示す様に波長に応じてピント位置が変わり、長波長側になると焦点距離が伸びる方向になることがわかる。
【０００６】
したがって、長波長成分の少ない蛍光灯と、長波長成分の非常に多いフラッドランプでは、検出するピント位置が異なることになり、結果として撮像面側のピントがずれてしまうという問題が生じる。
【０００７】
この光源の分光感度に応じて、焦点検出系のピント位置がずれる問題に対して、ピント位置を補正するカメラが例えば文献１、２により開示されている。これらの文献には、分光感度の異なる２種類のセンサーの出力を比較して光源の種類を判別し、ピント位置の補正を行うことにより、光源の分光によるピントずれを補正する方法が開示されている。
【特許文献１】特公平１−４５８８３号公報
【特許文献２】特開２０００−２７５５１２号公報
【発明の開示】
【発明が解決しようとする課題】
【０００８】
文献１や文献２のような「撮影レンズからの入射光を複数の光束に分割して、複数のセンサー出力を比較し光源を検知する方法」は、この光源を検出するための複数のセンサーに被写体の同一部分からの光を分割して入射させる必要がある。（なお、以下これら複数のセンサーの例として、２種類の異なる分光感度を持ったセンサーを考え、一方の分光感度を持ったセンサーを第１の測光センサー、もう一方を第２の測光センサーとする。そして、このような光源の種類を特定するためのセンサーを光源検知センサーと記す。）
しかしながら実際には、正確に同一部分の光を第１の測光センサーと第２の測光センサーに分配照射することができない場合がある。その要因は、カメラ内部に発生するゴーストや、撮影レンズに入射してから光源検知センサーに到達するまでの光路中で発生するシェーディングや、デフォーカスによる視差などの影響である。以下、これらの問題について説明する。
【０００９】
まずゴーストについてだが、これは本来第１の測光センサー、第２の測光センサーに入射することを想定していない光が、カメラ内部の部品に反射されることなどによって、第１の測光センサー、もしくは第２の測光センサーに入射してしまう現象である。このゴーストによって第１の測光センサーと第２の測光センサーに入射する光のバランスが崩れてしまい、正確な光源検知が行えなくなってしまう。
【００１０】
次にシェーディングについて説明する。図８のように位相差ＡＦセンサー内の一対のラインセンサー近傍に第１の測光センサー、第２の測光センサーを配置したとする。すると、光源検知センサーのために新たに光束を分割する手段を設けることなく、ＡＦセンサーにもともと存在するメカ、光学系によって入射光束が分割され、第１の測光センサー、第２の測光センサーに照射されるというメリットがある。しかしながら、撮影レンズから均一な一様光が入射した場合の第１の測光センサー、および第２の測光センサー上の光量分布は、ＡＦ光学系の持つシェーディングによって図９（ａ）のようになり、均一にはならない。そのため、例えば図９（ｂ）に示すような白黒の被写体が観測されたとすると、第１の測光センサー、第２の測光センサーへ照射される光量は、図９（ｃ）に示す斜線部の面積になる。これらの面積は一致しないため、第１の測光センサーと第２の測光センサーの出力バランスが崩れて正確な光源検知が行えなくなる。
【００１１】
最後にデフォーカスによる視差の影響について説明する。ここでも図８のように、ＡＦセンサー内のＡＦラインセンサー近傍に光源検知センサーが配置された構成を想定し、例として図９（ｂ）に示すような白黒の被写体をデフォーカスして観測している場合を考える。デフォーカスした状態では、第１の測光センサーと第２の測光センサーは被写体の同一部分を見ておらず、例えば図１０のようにずれた位置を見ている。このように第１の測光センサーと第２の測光センサーに視差がある場合は、被写体の同一部分の光が光源検知センサーに入射しないため、正確な光源検知が行えない。この図１０の例では、被写体の白部が第２の測光センサーにしかかかっていないため、第２の測光センサーのみ出力が大きくなってしまう。
【００１２】
このようにいくつかの要因によって、第１の測光センサーと第２の測光センサーに入射する光のバランスが崩れると、光源検知センサーの出力に信頼性がなくなり、正確な補正量が算出できない。
【００１３】
また、第１の測光センサー、もしくは第２の測光センサーの出力が小さい場合も、第１の測光センサー、第２の測光センサーの光検出精度が悪化するため、やはり光源検出センサーの出力に信頼性がなくなり、正確な補正量が算出できない。
【００１４】
（発明の目的）
これらを鑑み、本発明の目的は、光源検出センサーの出力の信頼性が低いと判定されたときに、光源検出による補正を行うか否かを切り替える、もしくは信頼性に応じて補正量を調整することによって、より良好なピント補正を行うことである。
【課題を解決するための手段】
【００１５】
このような課題を解決するために、本発明の技術的特徴としては、撮影レンズの合焦状態に応じて前記撮影レンズのデフォーカス量を検出し、前記撮影レンズを透過した光束の第１の波長領域を測光する第１の測光手段と、前記第１の波長領域に含まれ前記第１の波長領域よりも狭い第２の波長領域を測光する第２の測光手段のそれぞれの出力とに応じて、前記デフォーカス量に基づく前記撮影レンズの合焦動作を補正する焦点調節装置の制御方法であって、前記第１の測光手段の出力と前記第２の測光手段の出力の大きさを比較し、前記第１の測光手段の出力よりも前記第２の測光手段の出力の方が大きい場合には、前記補正手段による前記合焦動作の補正を行わないように制御する。
【発明の効果】
【００１６】
以上の実施の形態によれば、被写体の分光によるピントずれを補正するシステムにおいて、光源検知センサーの出力に信頼性が低い場合でもより高精度にＡＦを行うことができる。
【発明を実施するための最良の形態】
【００１７】
以下、図１から図６を用いて、本実施の形態について詳細に説明する。
【００１８】
本実施の形態においては、焦点調節装置を含む撮像装置の一例としてデジタル一眼レフレックスカメラを用いて説明する。
【００１９】
＜断面図からみたカメラの構成＞
図１は本実施の形態における、デジタル一眼レフレックスカメラの断面図である。図１において１０１はカメラ本体であり、その前面には撮影レンズ１０２が装着される。撮影レンズ１０２は交換可能であり、またカメラ本体１０１と撮影レンズ１０２はマウント接点群１１２を介して電気的にも接続される。さらに撮影レンズ１０２の中には、絞り１１３があり、カメラ内に取り込む光量を調整できるようになっている。
【００２０】
１０３はメインミラーであり、ハーフミラーとなっている。メインミラー１０３はファインダー観察状態では撮影光路上に斜設され、撮影レンズ１０２からの撮影光束をファインダー光学系へと反射する一方、透過光はサブミラー１０４を介してＡＦユニット１０５へと入射する。また撮影状態では撮影光路外に退避する。
【００２１】
ＡＦユニット１０５は位相差検出方式のＡＦセンサーである。位相差方式による焦点検出については公知の技術であるため、具体的な制御に関してはここでは省略する。簡潔に説明すると、撮影レンズ１０２の二次結像面を焦点検出ラインセンサー上に形成し、位相差信号を得ることによって、撮影レンズ１０２の合焦状態（デフォーカス量）を検出する。そして、その検出結果をもとに不図示のフォーカシングレンズを駆動して焦点検出を行うというものである。なおＡＦユニット１０５においては、図８に示すような位相差検出のためのラインセンサーの画素の近傍に第１の測光センサー、第２の測光センサーが配置され、光源検知センサーを形成するものとし、その分光特性に関しては後述する。
【００２２】
１０８は被写体からの反射光（被写体像）を受光して電気信号に光電変換して映像信号を出力する撮像手段である撮像素子であり、１０６はローパスフィルター、１０７はフォーカルプレーンシャッターである。
【００２３】
１０９はファインダー光学系を構成する撮影レンズ１０２の予定結像面に配置されたピント板であり、１１０はファインダー光路変更用のペンタプリズムである。１１４はアイピースであり、撮影者はここからピント板１０９を観察することによって、撮影画面を確認することができる。また１１１はＡＥユニットであり、測光を行う際に使用する。
【００２４】
１１５はレリーズボタンであり、半押し、全押しの状態を持つ二段押し込み式のスイッチである。レリーズボタン１１５が半押しされることによって、ＡＥ、ＡＦ動作などの撮影前の準備動作が行われ、全押しされることによって、撮像素子１０８が露光されて撮影処理が行われる。以下、半押しされた状態をＳＷ１がＯＮした状態、全押しした状態をＳＷ２がＯＮした状態、と記すことにする。
【００２５】
＜ブロック図からみたカメラの構成＞
次に図２を用いて、本実施の形態のカメラのブロック構成について説明する。なお、図１と同じ部材については、同じ番号を付すことにする。
【００２６】
図２において、撮影レンズ１０２から入射した光線は、絞り１１３を通過し、ミラーボックス２０１に到達する。ミラーボックス２０１は前述のメインミラー１０３とサブミラー１０４で構成され、入射光を透過光と反射光に分割しそれぞれをＡＦユニット１０５、及びＡＥユニット１１１へと導く状態と、入射光をそのまま撮像素子１０８に導く状態と、で切り替えられる。
【００２７】
撮影レンズ１０２は、ピント調節のためにレンズ駆動手段２０７によって駆動させられる。そして、絞り１１３は絞り駆動手段２０５によって、ミラーボックス２０１はミラー駆動手段２０４によって駆動される。そして、シャッター１０７はシャッター駆動手段２０３によって、それぞれ駆動される。
【００２８】
撮影制御手段２１３は、ＡＥユニット１１１からの測光情報をもとに、露光時の絞り値、シャッタースピードを決定し、シャッター駆動手段２０３と絞り駆動手段２０５を制御する。またＡＦユニット１０５からの信号によって、合焦させるのに必要なレンズの駆動量を決定する。さらに、ＡＦラインセンサー近傍に配置された光源検知センサー２０２の出力から、被写体の分光によるピントずれの補正量を算出した上で、最終的なレンズ駆動量を決定し、レンズ駆動手段２０７を制御する。詳しくは後述するが、光源検知センサーの出力からピント補正量を算出する際には、撮影レンズ１０２の色収差情報を必要とする。（なお、この色収差情報は、撮影レンズのレンズ位置に応じた色収差に関する情報であり、被写体距離や焦点距離毎にデータが記憶されている。）
そのため、撮影制御手段２１３は、レンズ通信手段２０６によってレンズマイコン２０８の中にある不図示のＲＯＭテーブルから撮影レンズ１０２の色収差情報を読み出す。
【００２９】
露光時においては、ミラー駆動手段２０４によって、メインミラー１０３、およびサブミラー１０４を撮影光路上から退避させる。そして、シャッター駆動手段２０３によってシャッター１０７を駆動し、所定の露光時間だけ露光を行うことによって、撮影レンズ１０２からの光束を撮像素子１０８に結像させる。ここで撮像素子１０８は、ＣＭＯＳやＣＣＤなどの半導体素子からなる。
【００３０】
撮像素子１０８から出力された映像信号は、Ａ／Ｄ変換手段２０９によりデジタル信号に変換されて信号処理手段２１０に入力される。信号処理手段２１０においては、輝度信号や色信号を形成するなどの信号処理を行って、カラー映像信号が形成される。
【００３１】
表示手段２１１と記録手段２１２は、それぞれ撮影した画像を表示、記録保存する個所であり、信号処理手段２１０で形成されたカラー映像信号を表示、および保存する。
【００３２】
＜測光センサーの分光特性＞
次に図３を用いて第１の測光センサーと第２の測光センサーの分光特性を説明する。図３（ａ）は第１の測光センサーと第２の測光センサーのフィルター構造の模式図であり、同図の３０１が第１の測光センサー、３０２が第２の測光センサーである。本実施の形態においては、第１の測光センサーと第２の測光センサーは図８に示すようにＡＦユニット内のＡＦラインセンサー近傍に配置されている。通常のＡＦユニットにおいては、すでに説明したように補助光を照射した場合も焦点検出を行えるように、補助光の波長を加味して７００ｎｍ程度までの光を取り込めるように、ＩＲカットフィルターが搭載されている。よって、第１の測光センサー３０１と第２の測光センサー３０２の前には共通してこのＩＲカットフィルター３０４が存在する。そして、第２の測光センサー３０２の前のみに別の分光特性をもつフィルター３０３を配置することによって、全体として第１の測光センサーと第２の測光センサーで異なる分光感度分布を持たせる構成になっている。
【００３３】
図３（ｂ）は第１の測光センサーと第２の測光センサーを構成する各部材の分光特性である。同図においてｉは両測光センサー３０１、３０２の分光感度分布であり、ｉｉはＩＲカットフィルター３０４の分光透過率、ｉｉｉは第２の測光センサーの前面に塗布されるフィルター３０３の分光透過率である。同図のiより、第１、第２の両測光センサーは４００ｎｍ程度以上の光に対して感度を持ち、また、同図のｉｉに示されるＩＲカットフィルターの分光透過率のグラフより、波長が７５０ｎｍ程度以上の入射光に関してはカットされる。このため、全体としては第１の測光センサー３０１は波長４００〜７５０ｎｍ程度の範囲に対して感度を持つような分光特性になる。また第２の測光センサー３０２は前面に同図のｉｉｉに示されるような波長６００ｎｍ程度以上の光のみ透過する特性のフィルター３０３が配置されているため、波長６００〜７５０ｎｍ程度の範囲の光に対して感度を持つような分光特性になっている。すなわち第２の測光センサー３０２で検知できる光は、第１の測光センサー３０１で検知できる光の波長領域に含まれる構成である。よって、両測光センサーに被写体の同一部分の光が入射した場合は、必ず第２の測光センサーの出力の方が小さくなる。
【００３４】
＜焦点調節動作のフロー＞
次に本実施の形態におけるカメラシステムの焦点調節動作について、図４のフローチャートを用いて説明する。
【００３５】
図１で示したレリーズボタン１１５が半押しされ、ＳＷ１がＯＮになると、ＡＦ動作がスタートし、ステップＳ１０２の処理を行う。ステップＳ１０２は、ＡＦ補助光を使用するか、しないかを確認するステップである。仮に補助光を使用する場合はステップＳ１０３に進み、光源検知センサーの出力によるピントずれの補正を行わないで、通常のＡＦ動作を行う。これは、補助光を使用してＡＦを行う場合は、撮影レンズ内のＲＯＭに補助光を使用した場合のピント補正量が記憶されており、光源検知センサーを使用せずとも、これを利用して最適なピント補正を行うことが可能だからである。ステップＳ１０２において、補助光を使用しない場合は、ステップＳ１０４に進む。
【００３６】
ステップＳ１０４では、ＡＦラインセンサー、および光源検知センサーの蓄積、読み出しを行い、ＡＦラインセンサーの出力から合焦するためのレンズ駆動量を、２像のずれから公知の方法で算出する。ここで算出されるレンズ駆動量は、光源検知センサーの出力を考慮しない結果である。次にステップＳ１０５に進む。
【００３７】
ステップＳ１０５においては、読み出した光源検知センサーの出力、すなわち第１の測光センサー３０１の出力Ｓ１（≧０）と、第２の測光センサー３０２の出力Ｓ２（≧０）の比（＝Ｓ２／Ｓ１）を計算する。（Ｓ２／Ｓ１）を算出したら、ステップＳ１０６に進む。
【００３８】
ステップＳ１０６では、得られた（Ｓ２／Ｓ１）に対してのエラー処理を行う。すなわち、理想的な状態においては、第１、第２の測光センサーの前にあるフィルターは、図３（ｂ）に示したような特性を持つ。このため、第１の測光センサーの方が、第２の測光センサーよりもブロードな分光感度を持つ（幅の広い波長領域を測光する）。逆にいうと第２の測光センサーが測定する波長領域は、第１の測光センサーが測定する波長領域に含まれ、第１の測光センサーの波長領域よりも狭い波長領域である。そのため、Ｓ１≧Ｓ２となり、これより０≦（Ｓ２／Ｓ１）≦１が成立する。
【００３９】
しかし前述のように、
（Ｉ）カメラ内部に発生するゴースト
（ＩＩ）撮影レンズに入射してから光源検知センサーに到達するまでの光路中で発生するシェーディング
（ＩＩＩ）デフォーカスによる視差
等によって、０≦（Ｓ２／Ｓ１）≦１の関係は必ずしも成立しない。そこでステップＳ１０６においては、（Ｓ２／Ｓ１）≧１となってしまった場合に、光源検知センサーの出力がエラーであると判定し、ステップＳ１０７に進み、ピント補正量を０とする。０≦（Ｓ２／Ｓ１）≦１の場合は、ステップＳ１０８に進む。
【００４０】
ステップＳ１０８では、光源検知センサーの出力Ｓ１、Ｓ２の信頼性判定を行う。被写体がある一定値以上の輝度であれば、光源検知センサーの蓄積、読み出しを行った場合は、Ｓ１、Ｓ２共にある一定量を超えた値が出力されるが、低輝度の場合にはＳ１、Ｓ２が小さくなり、ノイズなどによって、必ずしもＳ１≧Ｓ２が成立しなくなる。特にダーク状態での出力はＳ１≒Ｓ２≒０となる。このような状態でＳ２／Ｓ１を算出すると、０≦（Ｓ２／Ｓ１）≦∞と非常に広い範囲の値をとることになってしまう。（Ｓ２／Ｓ１）≧１の場合はステップＳ１０６にて判定されピント補正量が０となるが、（Ｓ２／Ｓ１）≧１とならない場合でも、Ｓ１、Ｓ２が低い低輝度の場合は（Ｓ２／Ｓ１）の値に信頼性がなく、正確な補正量を算出することができない。そこでステップＳ１０８においては、Ｓ１の閾値Ｓｔｈをカメラ内に持ち、Ｓ１≦Ｓｔｈの場合は、光源検知センサーの信頼性が不十分として、最終的な補正量に減衰係数をかけて補正量を減らす処理を行う。例として図５に、Ｓ１の出力と減衰係数の関係を示す。ここではＳ１がＳｔｈを下回ると、Ｓ１に比例して減衰係数を変化させているが、減衰係数の決定の方法はこの限りではない。このように処理することによって、Ｓ１、Ｓ２の信頼性に応じてピント補正量を決定することができる。つまり、信頼性が低い場合には、補正を抑制するので、誤ったピント補正を極力防止することができる。ステップＳ１０８が終了したら、ステップＳ１０９に進む。
【００４１】
ステップＳ１０９においては、ステップＳ１０５にて算出したＳ２／Ｓ１の値に応じて、図６に示すテーブルからピント補正係数を読み出す。図６は不図示のカメラマイコン内のＲＯＭに記憶されたものであり、光源検知センサーの出力Ｓ１、Ｓ２の比に応じたピント補正係数を示すものである。なお、ＡＦを調整する際に使用する、基準となる光源下においては、ピント補正量は０とする。このために、図６で示した点Ａの横軸は、予め基準となる光源下で出力された（Ｓ２／Ｓ１）の値であり、ここでは例として０．６とした。一方、ピント補正量は０であるため、縦軸は０となる。ステップＳ１０９にてピント補正係数を取得したら、ステップＳ１１０に進む。
【００４２】
ステップＳ１１０では、レンズと通信することによって、装着された撮影レンズ１０２の光源検知センサーの出力を得た際のレンズ位置に対応する色収差データを読み出す。色収差データはレンズマイコン２０８内にある不図示のＲＯＭに記憶されている。撮影レンズ１０２の色収差データを読み出したら、これにステップＳ１０９で求めたピント補正係数を乗じてピント補正量を求める。さらにステップＳ１０８で算出した減衰係数をかけて、最終的なピント補正量を決定する。最終的なピント補正量が求まったら、ステップＳ１１１にすすむ。
【００４３】
ステップＳ１１１においては、ステップＳ１０４で求めたレンズ駆動量にピント補正量を加算し、最終的なレンズ駆動量を算出する。そしてステップＳ１１２にてレンズを駆動し、ＡＦ動作が終了する。
【００４４】
＜効果、その他の実施形態など＞
上述の実施の形態によれば、被写体の分光によるピントずれを補正する場合に、ゴーストやシェーディング、視差などの影響による誤検出が起こることを防ぐことができる。また、光源検知センサーの出力に信頼性がない場合に、ピント補正量が信頼できる値となるよう調整することができる。したがって、従来よりもより高精度のＡＦを実現できる。
【００４５】
なお上述の説明では、第１の測光センサーの分光感度（もしくは分光透過率）は第２の測光センサーの分光感度（もしくは分光透過率）よりも広い帯域とした。そして、第１の測光センサーの出力よりも第２の測光センサーの出力の方が大きい場合には光源検知結果によるピント補正を行わない構成とした。しかしながら、これに限定されるものではない。例えば、第１の測光センサーの出力よりも第２の測光センサーの出力の方が大きい場合には、撮影レンズを予め決められた量移動させ、再度、図４のフローのような焦点調節動作を行うように構成してもよい。これにより、より誤差の少ない精度の良いＡＦが実現可能となる。
【００４６】
また、上述の説明では、ＡＦラインセンサーの出力から合焦するためのレンズ駆動量を、２像のずれから算出し、このレンズ駆動量にピント補正のためのレンズ駆動量を加算し、最終的なレンズ駆動量を算出する構成とした。しかしながら、ＡＦラインセンサーにより得られる合焦状態（デフォーカス量）を補正するための補正値を予めレンズ毎に記憶させておき、デフォーカス量を補正した後にピント補正されたレンズ駆動量を算出するよう構成してもよい。
【００４７】
また、上述の説明では、位相差ＡＦ方式の説明を主にしたが、これに限るものではない。例えば、撮像面とは異なる撮像センサーにおいてレンズの位置を移動させながら複数の合焦状態、つまり画像の鮮鋭度を求めて合焦位置を検出する方式をとったとする。このとき、撮像面と焦点検出のための撮像センサーでは、分光感度が異なるとすると、検出されるピント位置が異なってくる。例えば撮影の際の光源が長波長成分の少ない蛍光灯の場合と長波長成分の多いフラットランプの場合とでピントずれが発生する。したがって、この光源の違いによるピントずれを補正する必要があるが、このときも本発明の思想を使用することにより、誤った補正を抑制することができる。
【００４８】
なお通常、波長領域が狭いところで光電変換された被写体像の信号量が、外光の影響をうけて波長領域がそれよりも広いところで光電変換された被写体像の信号量よりも大きくなることはない。
【００４９】
また、上述した各実施の形態の処理は、各機能を具現化したソフトウェアのプログラムコードを記録した記憶媒体をシステム或は装置に提供してもよい。そして、そのシステム或は装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００５０】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００５１】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【００５２】
【図１】一眼レフレックスカメラと交換レンズから成るカメラシステムの断面図である。
【図２】一眼レフレックスカメラと交換レンズから成るカメラシステムのブロック図である。
【図３】光源検知センサーの構成と分光特性を説明する図である。
【図４】カメラシステムの構成要素であるカメラ本体および交換レンズの動作を示すフローチャートである。
【図５】カメラシステムの第１の測光センサーの出力に対応し、ピント補正量を減衰させる減衰係数を説明するための図である。
【図６】カメラシステムの第１と第２の測光センサーの出力比に対応し、ピント補正を行う補正係数の説明図である。
【図７】光源の分光分布と、撮影レンズの色収差を示す図である。
【図８】ＡＦセンサー内の、ＡＦラインセンサーと光源検知センサーの構成を示す図である。
【図９】光源検知センサーにシェーディングが発生した際の、第１と第２の測光センサーの出力を説明するための図である。
【図１０】光源検知センサーに視差が発生した際の、第１と第２の測光センサーの出力を説明するための図である。
【符号の説明】
【００５３】
１０１  カメラ本体
１０５  ＡＦユニット
１０２  撮影レンズ
２０２  光源検知センサー
３０１  第１の測光センサー
３０２  第２の測光センサー
【図１】
2008170517.tif 000003
【図２】
2008170517.tif 000004
【図３】
2008170517.tif 000005
【図４】
2008170517.tif 000006
【図５】
2008170517.tif 000007
【図６】
2008170517.tif 000008
【図７】
2008170517.tif 000009
【図８】
2008170517.tif 000010
【図９】
2008170517.tif 000011
【図１０】
2008170517.tif 000012